(57)【特許請求の範囲】
【請求項１】
移動通信システムの基地局装置から移動局装置への物理下り制御チャネルに制御信号を割り当てる制御チャネル割り当て方法であって、
前記制御チャネルの割り当て領域となるサーチ領域と該サーチ領域の候補の先頭位置を算出し、
前記制御チャネルを前記サブフレームに割り当てる単位制御チャネル要素の数を定めたアグリゲーションレベルと前記制御チャネルの複数の候補を示す制御チャネル候補数と、を基に、前記制御チャネル候補の先頭位置から前記制御チャネル候補の割り当てが可能な前記アグリゲーションレベルを選定し、
前記候補の先頭位置から割り当てが可能な前記アグリゲーションレベルについて割り当て走査を行うことを特徴とする移動通信システムの制御チャネル割り当て方法。
【請求項２】
請求項１記載の移動通信システムの制御チャネル割り当て方法において、
前記選定したアグリゲーションレベルの中で、一つの基準で選定した基準アグリゲーションレベルでの前記制御チャネルの割り当てが可能な場合、前記基準アグリゲーションレベルについて、割り当て走査することを特徴とする請求項１記載の移動通信システムの制御チャネル割り当て方法。
【請求項３】
請求項２記載の移動通信システムの制御チャネル割り当て方法において、
前記基準アグリゲーションレベルでの割り当てができない場合、
前記選定した候補の先頭位置から制御チャネルの割り当てが可能なアグリゲーションレベルの中で、前記基準アグリゲーションレベルより高いものの内、前記基準アグリゲーションレベルに最も近い前記アグリゲーションレベル、あるいは前記基準アグリゲーションレベルより高い候補が無い場合は前記基準アグリゲーションレベルより低いものの中で基準アグリゲーションレベルに最も近いアグリゲーションレベルについて、前記チャネル候補の割り当て走査することを特徴とする請求項２記載の移動通信システムの制御チャネル割り当て方法。
【請求項４】
請求項２記載、あるいは請求項３記載の移動通信システムの制御チャネル割り当て方法において、
前記走査で選定した前記アグリゲーションレベルでの割り当て終了後さらに、制御チャネルの割り当て走査し、割り当て可能な場合は重複して割り当てることを特徴とする請求項２記載、あるいは請求項３記載の移動通信システムの制御チャネル割り当て方法。
【請求項５】
移動通信システムの基地局装置から移動局装置への物理下り制御チャネルに制御信号の割り当てにおいて、  
前記制御チャネルの割り当て領域となるサーチ領域と該サーチ領域の候補の先頭位置を算出する手段と、
前記制御チャネルを前記サブフレームに割り当てる単位制御チャネル要素の数を定めたアグリゲーションレベルと前記制御チャネルの複数の候補を示す制御チャネル候補数と、を基に、前記制御チャネル候補の先頭位置から前記制御チャネル候補の割り当てが可能な前記アグリゲーションレベルを選定する手段と、
前記候補の先頭位置から割り当てが可能な前記アグリゲーションレベルについて割り当て走査を行う手段と、
を備えたことを特徴とする基地局装置。
【発明の詳細な説明】
【技術分野】
【０００１】
本発明は、移動通信システムの基地局装置、移動局装置間の制御チャネルの割り当てに関する。
【背景技術】
【０００２】
近年、第３世代移動通信システムのＬＴＥの標準規格の検討（Ｌｏｎｇ  Ｔｅｒｍ  Ｅｖｏｌｕｔｉｏｎ  ３ｒｄ  Ｇｅｎｅｒａｔｉｏｎ  Ｐａｒｔｎｅｒｓｈｉｐ  Ｐｒｏｊｅｃｔ）が行われている。その中で、ＤＬ／ＵＬスケジューリング情報(割り当て位置や、データサイズ、変調方式等)や共通チャネルの制御情報、いわゆる制御情報（ＤＣＩ:Ｄｏｗｎｌｉｎｋ  Ｃｏｎｔｒｏｌ  Ｉｎｆｏｒｍａｔｉｏｎ、以下制御信号と呼ぶ）を基地局装置から移動局装置に通知するための物理下り制御チャネル（ＰＤＣＣＨ：Ｐｈｙｓｉｃａｌ  Ｄｏｗｎｌｉｎｋ  Ｃｏｎｔｏｒｏｌ  Ｃｈａｎｎｅｌ）に割り当てるための形式が規定されている。ここで、ＤＬ、ＵＬは各々、下りリンク（ＤＬ:Ｄｏｗｎｌｉｎｋ）、上りリンク（ＵＬ：Ｕｐｌｉｎｋ）を示している。
【０００３】
ＰＤＣＣＨには複数の各移動局装置向制御信号が割り当てられており、各移動局装置は受信したＰＤＣＣＨから自己宛ての制御信号を検出する。各移動局装置は制御信号を検出するために、ＰＤＣＣＨ内の自己サーチ領域（Ｓｅａｒｃｈ  Ｓｐａｃｅ）をモニタし、サーチ領域内のどの区画に制御信号が入っているかを探す。この区画の一つ一つはＰＤＣＣＨ候補（ｃａｎｄｉｄａｔｅｓ）と呼ばれ、一つのＰＤＣＣＨ候補は一つまたは複数の制御チャネル要素（ＣＣＥ：Ｃｏｎｔｒｏｌ  Ｃｈａｎｎｅｌ  Ｅｌｅｍｅｎｔ、以下では制御チャネル要素をＣＣＥと表現）で構成される。このＰＤＣＣＨ候補内のＣＣＥ数はアグリゲーションレベル（ａｇｇｒｅｇａｔｉｏｎ  ｌｅｖｅｌ）と呼び、次のように対応している。アグリゲーションレベル：ＰＤＣＣ候補内のＣＣＥ数＝（１：１）、（２：２）、（４：４）、（８：８）。
【０００４】
ＰＤＣＣＨの割り当てについて、３ＧＰＰで規定されている内容を基に制御信号のＰＤＣＣＨ割り当てについて述べる。
【０００５】
１）ＰＤＣＣＨは、第１ＯＦＤＭシンボルから最大第３ＯＦＤＭシンボルに配置される。一つの制御信号は、ＰＤＣＣＨのサーチ領域（第１ＯＦＤＭシンボルから最大第３ＯＦＤＭシンボルまで）内の割り当て可能なＰＤＣＣＨ候補内のＣＣＥに割り当てられる。
【０００６】
２）ＰＤＣＣＨのアグリゲーションレベルは、システムの要件により決まる。
通常、基地局装置は回線品質等を考慮してアグリゲーションレベルを選択する。回線品質は基地局装置と移動局装置間の通信環境（障害物の有無、移動速度）に依存する。通信環境が悪い（回線品質が悪い）場合、誤り訂正符号の強度を強くするために、一般にアグリゲーションレベルが高いものを選択し、多くのＣＣＥを使用して制御信号を割り当てる。
【０００７】
３）ＰＤＣＣＨを割り当てることのできる領域（サーチ領域）は、セル無線ネットワーク一時識別子（Ｃ−ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｔｙ）、送信サブフレーム番号、ＰＤＣＣＨ候補番号、物理ＣＣＥ数、アグリゲーションレベルを用いて、規定された数式で算出することで決まる。（数式は省略する）。ここで、各々の要素は以下である。
【０００８】
ア．無線ネットワーク一時識別子：基地局装置が使用可能な識別子から割り当てる情報である。
イ．送信サブフレーム番号：サブフレーム（ＬＴＥでは１ｍｓｅｃ）毎に付与される時間番号０〜９（ＬＴＥでは１０ｍｓｅｃ周期）である。
ウ．ＰＤＣＣＨ割り当てに使用可能な物理ＣＣＥ数：帯域全体のＲＥ（Ｒｅｓｏｕｒｃｅ  Ｅｌｅｍｅｎｔ）をＲＥＧ（Ｒｅｓｏｕｒｃｅ  Ｅｌｅｍｅｎｔ  Ｇｒｏｕｐ）で区切り、さらにＣＣＥで区切った時に確保できる物理的なＣＣＥの数である。
エ：アグリゲーションレベル：前述した制御信号を割り当てるために使用されるＣＣＥの数を定義したものである。
【０００９】
以下では制御信号のＰＤＣＣＨ割り当てに係る３ＧＰＰ規定について具体的に述べる。
図９は３ＧＰＰ規定のフレームフォーマットのＰＤＣＣＨ領域とデータ領域を示す図である。
【００１０】
第１ＯＦＤＭシンボルから最大３ＯＦＤＭシンボルを使用して制御信号のＰＤＣＣＨ割り当てが行われる。なお、ＲＥＧ（Ｒｅｓｏｕｒｃｅ  Ｅｌｅｍｅｎｔ  Ｇｒｏｕｐ）はリソースエレメントのグループを示し、１ＲＥＧは４ＲＥ（但し、第１ＯＦＤＭシンボルの場合はＲｅｆｅｒｅｎｃｅ  Ｓｉｇｎａｌをマッピングする２ＲＥを加えて６ＲＥ）で構成される。
【００１１】
図１０は３ＧＰＰ規定のアグリゲーションレベルとＰＤＣＣＨ候補数を示す図である。個別チャネル用（ＵＥ−ｓｐｅｃｉｆｉｃ）と共通チャネル用（Ｃｏｍｍｏｎ）のアグリゲーションレベルとＰＤＣＣＨ候補数を示している。
【００１２】
例えば、ＵＥ−ｓｐｅｃｉｆｉｃのアグリゲーションレベル１はＰＤＣＣＨ候補数が６であり、６つの候補の中から選択した１つのＰＤＣＣＨ候補（１ＣＣＥ）に１つの制御信号を割り当てる。アグリゲーションレベル８はＰＤＣＣＨ候補数が２なので、２つの候補から選択した１つのＰＤＣＣＨ候補（８ＣＣＥ）に１つの制御信号を割り当てる。アグリゲーションレベル８はアグリゲーションレベル１に比較して所要ＣＣＥ数が多く広い帯域に割り当てることができる。
【００１３】
図１１は３ＧＰＰ規定のアグリゲーションレベルのサーチ領域例を示す図である。以下に設定した条件での各ユーザ（ＵＥ＃ｎ、ｎ＝０〜３）のＣ−ＲＮＴＩに対するサーチ領域先頭ＣＣＥ番号と最終ＣＣＥ番号を示している。
【００１４】
ア．システム帯域幅：５ＭＨｚ
イ．ＰＨＩＣＨグループ数：１
ここで、ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）は端末から送られるＵＬデータに対して端末にフィードバックするＡＣＫ／ＮＣＫ情報である。説明は省略する。
ウ．サブフレーム番号：＃２
エ．アグリゲーションレベル：図１０（ＵＥ−ｓｐｅｃｆｉｃ）に対応
オ．ユーザ：＃０、＃１、＃２、＃３
カ．Ｃ−ＲＮＴＩ：表の値
キ．ＯＦＤＭシンボル３つを使用した場合の物理ＣＣＥ数：２１ＣＣＥ
ＵＥ＃０のＣ−ＲＮＴＩは「０ｘ２１２Ｆ」である。上記条件を基に先頭ＣＣＥを算出する。例えば、先頭ＣＣＥ番号はアグリゲーションレベル１の場合＃４となり、ＵＥ＃０のＰＤＣＣＨのサーチ領域はＣＣＥ番号＃４から＃９の領域となる。他ＵＥの各アグリゲーションレベルのサーチ領域も各々先頭ＣＣＥ番号の位置から最終ＣＣＥ番号までの領域である。
【００１５】
制御信号のＰＤＣＣＨ割り当てはこのサーチ領域に制御信号の割り当てが可能か検索して制御信号の割り当てを試みることになる。例えば、アグリゲーションレベル１、候補数６により計算式で先頭ＣＣＥの位置を算出し、この先頭位置より１ＣＣＥ連続した領域を検索し、連続して空いている（他の情報が割り当てられていない）場合、制御信号を割り当てる。同様にアグリゲーションレベル８、ＰＤＣＣＨ候補数２より先頭ＣＣＥより連続した８ＣＣＥが２個連なる１６ＣＣＥの連続した領域がサーチ領域である。以下ではサーチ領域に割り当てができるか否かの確認（割り当て可否の確認）を、走査すると表現する。
【００１６】
しかしながら、制御信号をＰＤＣＣＨのサーチ領域内のどのＰＤＣＣＨ候補に割り当てるかは規定されておらず課題となっている。
【先行技術文献】
【非特許文献】
【００１７】
【非特許文献１】３ＧＰＰ  ＴＳ３６．２１１．ｖ９．１．０
【非特許文献２】３ＧＰＰ  ＴＳ３６．２１２．ｖ９．１．０
【非特許文献３】３ＧＰＰ  ＴＳ３６．２１３．ｖ９．１．０
【発明の開示】
【発明が解決しようとする課題】
【００１８】
上述したように、３ＧＰＰ規定では制御信号をＰＤＣＣＨのサーチ領域内のどのＰＤＣＣＨ候補に割り当てるかは決められていない。このため、具体的に割り当てる場合、以下のような問題が発生する。
【００１９】
図６は一般的な制御信号のＰＤＣＣＨ割り当て走査手順例を示す図である。以下に設定した条件でのサーチ領域割り当て対象ユーザ（ＵＥ＃ｎ）に対し、回線品質に応じて選択されたアグリゲーションレベルで、順次走査する手順例を示している。
【００２０】
ア．４ユーザ（ＵＥ＃０、ＵＥ＃１、ＵＥ＃２、ＵＥ＃３）とし、割り当て優先度はＵＥ＃０＞ＵＥ＃１＞ＵＥ＃２＞ＵＥ＃３とする。
イ．アグリゲーションレベルは全てのＵＥで品質が悪い場合のアグリゲーションレベル８から割り当てる場合を示す。（この品質情報等で決めた割り当ての基準となるアグリゲーションレベルを以下では基準アグリゲーションレベルと表現する。）
ウ．アグリゲーションレベル１、２、４、８のサーチ領域内のＰＤＣＣＨ候補先頭ＣＣＥは各々以下とする。
【００２１】
ＵＥ＃０：
アグリゲーションレベル８：ＣＣＥ＃０、ＣＣＥ＃８  
アグリゲーションレベル４：ＣＣＥ＃８、ＣＣＥ＃１２
アグリゲーションレベル２：省略
アグリゲーションレベル１：省略
ＵＥ＃１：
アグリゲーションレベル８：ＣＣＥ＃８、ＣＣＥ＃０  
アグリゲーションレベル４：ＣＣＥ＃４、ＣＣＥ＃８
アグリゲーションレベル２：省略
アグリゲーションレベル１：省略
ＵＥ＃２：
アグリゲーションレベル８：ＣＣＥ＃０、ＣＣＥ＃８  
アグリゲーションレベル４：ＣＣＥ＃０、ＣＣＥ＃４
アグリゲーションレベル２：ＣＣＥ＃４、ＣＣＥ＃６、ＣＣＥ＃８、ＣＣＥ＃１０、ＣＣＥ＃１２、ＣＣＥ＃１４  
アグリゲーションレベル１：ＣＣＥ＃１８、ＣＣＥ＃１９、ＣＣＥ＃２０、ＣＣＥ＃０、ＣＣＥ＃１、ＣＣＥ＃２
上記条件を基にＵＥ＃０、ＵＥ＃１、ＵＥ＃２への割り当て手順を述べる。
【００２２】
１）ＵＥ＃０、１、２への基準アグリゲーションレベル(レベル８）での割り当て試行
ＵＥ＃０のアグリゲーションレベル８のＰＤＣＣＨ候補先頭ＣＣＥは＃０なので、ＵＥ＃０に対しＣＣＥ＃０〜＃７を割り当てる。同様にＵＥ＃1のアグリゲーションレベル８のＰＤＣＣＨ候補先頭ＣＣＥは＃８であるので、ＣＣＥ＃８〜＃１５の割り当てを行う。一方、ＵＥ＃２への割り当てはアグリゲーションレベル８のＰＤＣＣＨ候補先頭ＣＣＥは＃０、＃８であり、ＣＣＥ＃０〜＃７、＃８〜＃１５には既に他の制御信号が割り当てられているので、割り当てできない。
【００２３】
２）ＵＥ＃２への基準アグリゲーションレベル４での割り当て試行
ＵＥ＃２の割り当てについてのアグリゲーションレベルを一つ落としたアグリゲーションレベル４での割り当てを行うが、ＰＤＣＣＨ候補先頭ＣＣＥは＃０、＃４であり、同様に＃０〜＃３、＃４〜＃７は割り当て済みなので割り当てできない。
【００２４】
３）ＵＥ＃２への基準アグリゲーションレベル２での割り当て試行
ＵＥ＃２の割り当てについて、さらにアグリゲーションレベルを一つ落としてアグリゲーションレベル２での割り当てを行うが、同様にサーチ領域のＰＤＣＣＨ候補先頭ＣＣＥ＃４、＃６、＃８、＃１０、＃１２、＃１４であり、同様に割り当てできない。
【００２５】
４）ＵＥ＃２へのアグリゲーションレベル１での割り当て試行
さらに、ＵＥ＃２のアグリゲーションレベルを一つ落としたアグリゲーションレベル１での割り当てを行う。ＰＤＣＣＨ候補先頭ＣＣＥは＃１８なので割り当てができる。
【００２６】
上述のように検索対象ＵＥを優先順位に従い、基準アグリゲーションレベルより順次切り替えて割り当ての条件に合うか走査して割り当てる。
【００２７】
図７は従来の制御信号の順次ＰＤＣＣＨ割り当て走査手順（その１）を示す図である。図６の方法を基に対象となるユーザに対し、制御信号のＰＤＣＣＨ割り当てを広い帯域のアグリゲーションレベルより順次全ＰＤＣＣＨ候補割り当てパターン（ＰＤＣＣＨ割り当てパターンとはアグリゲーションレベルとＰＤＣＣＨ候補で決まるＣＣＥ走査対象領域の組み合わせであり、アグリゲーションレベルの種類の数×アグリゲーションレベル毎のＰＤＣＣＨ候補数分存在する）走査する手順を、走査数が最大となるケースについて示している。
【００２８】
１）基準アグリゲーションレベル（レベル８）での割り当て試行
アグリゲーションレベル８での割り当てを試みる（空いているか調べる）ＰＤＣＣＨ候補数は２なので、計１６個のＣＣＥを検索する。この例では、ＣＣＥ＃０〜＃１５までの内、ＣＣＥ＃７とＣＣＥ＃１５が割り当て済みである。
【００２９】
２）基準アグリゲーションレベル４での割り当て試行
アグリゲーションレベルを一段切り替えたアグリゲーションレベル４で割り当てを試みる。最大で８個分(ＰＤＣＣＨ 候補数２×アグリゲーションレベル４)のＣＣＥを検索する。
【００３０】
３）基準アグリゲーションレベル２での割り当て試行
更にアグリゲーションレベルを一段切り替えたアグリゲーションレベル２で割り当てを試みる（ＣＣＥが空いているか調べる）。最大で１２個分(ＰＤＣＣＨ 候補数６×アグリゲーションレベル２)のＣＣＥを検索する。
【００３１】
４）基準アグリゲーションレベル１での割り当て試行
更にアグリゲーションレベルを一段切り替えたアグリゲーションレベル１で割り当てを試みる（ＣＣＥが空いているか調べる）。最大で６個分(ＰＤＣＣＨ 候補数６×アグリゲーション レベル1)のＣＣＥを検索する。
【００３２】
上記より、１制御信号当り最大４２個のＣＣＥを検索する。検索は各ユーザへの制御信号の他に共通チャネルについても走査する必要があり、処理量が膨大となる。
【００３３】
図８は従来の制御信号の順次ＰＤＣＣＨ割り当て走査手順（その２）を示す図である。図７による方法では検索ＣＣＥ数が膨大となるため、ＰＤＣＣＨ割り当てパターンに制限をかけて、２種類のアグリゲーションレベルのＰＤＣＣＨ候補を走査対象とし、検索ＣＣＥ数を少なくした例を示している。
【００３４】
１）基準アグリゲーションレベル（レベル８）での割り当て試行
ア．最大で１６個分(ＰＤＣＣＨ候補数２×アグリゲーションレベル８)ＣＣＥを検索する。
【００３５】
２）基準アグリゲーションレベル４での割り当て試行
アグリゲーションレベルを一段切り替えたアグリゲーションレベル４での割り当てを試みる。最大で８個分(ＰＤＣＣＨ 候補数２×アグリゲーションレベル４)のＣＣＥを検索する。
【００３６】
上記より、４種類のアグリゲーションレベルの内の２つの走査により最大で２４個のＣＣＥを検索する。
【００３７】
２種類のアグリゲーションレベルの走査を行うことにより、最大２４個のＣＣＥのサーチが必要となる。このように、一部の制御信号のＰＤＣＣＨ割り当てパターンの走査を行うことにより、処理量を小さくする。しかしながら、全割り当てパターンの走査と比較して一部の割り当てパターンしか走査を行わないことで制御信号がＰＤＣＣＨに割り当てられないケースがあり、帯域使用効率が悪く、スループットが悪くなる問題があった。
【課題を解決するための手段】
【００３８】
基地局装置から移動局装置への物理下り制御チャネルに制御信号を割り当てる制御チャネルへの割り当て方法である。
【００３９】
制御チャネルを前記サブフレームに割り当てる単位制御チャネル要素の数を定めたアグリゲーションレベルと制御チャネルの複数の候補を示す制御チャネル候補数と、を基に、制御チャネル候補先頭位置から制御チャネル候補の割り当て可能なアグリゲーションレベルについてのみ以後の制御信号の制御チャネル割り当て走査を行う。
【００４０】
また、割り当て走査は始めに基準アグリゲーションレベルで行い、割り当て終了後さらに割り当てが可能な場合は多重に割り当てる。
【発明の効果】
【００４１】
本発明によれば、制御信号のＰＤＣＣＨ割り当て処理の処理量を抑えて、全てのＰＤＣＣＨの割り当て走査を効率的に行うことが可能となる。さらに送信するチャネル数が多い環境や無線伝送路の品質悪い環境でのスループットを向上できる。
【図面の簡単な説明】
【００４２】
【図１】本発明の一実施形態の制御信号のＰＤＣＣＨ割り当て基本走査手順を示す図である。
【図２】本発明の一実施形態の制御信号のＰＤＣＣＨ割り当て走査例を示す図である。
【図３】本発明の一実施形態の制御信号の冗長ＰＤＣＣＨ割り当て走査手順（その1）を示す図である。
【図４】本発明の一実施形態の制御信号の冗長ＰＤＣＣＨ割り当て走査手順(その２）を示す図である。
【図５】本発明の一実施形態の制御信号の冗長ＰＤＣＣＨ割り当て走査例を示す図である。
【図６】一般的な制御信号のＰＤＣＣＨ割り当て走査手順例を示す図である。
【図７】従来の制御信号の順次ＰＤＣＣＨ割り当て走査手順（その１）を示す図である。
【図８】従来の制御信号の順次ＰＤＣＣＨ割り当て走査手順（その２）を示す図である。
【図９】３ＧＰＰ規定のフレームフォーマットのＰＤＣＣＨ領域とデータ領域を示す図である。
【図１０】３ＧＰＰ規定のアグリゲーションレベルとＰＤＣＣＨ候補数を示す図である。
【図１１】３ＧＰＰ規定のアグリゲーションレベルのサーチ領域例を示す図である。
【発明を実施するための形態】
【００４３】
（実施例１）
図１は本発明の一実施形態の制御信号のＰＤＣＣＨ割り当て基本走査手順を示す図である。以下で説明する手順を共通チャネル及びＵＥの制御信号数分実施する。
【００４４】
Ｓ１：システム要件、各種状態によりサーチ領域を確認算出する。
Ｓ２：基準アグリゲーションレベルでの割り当てを試みる。
Ｓ３：割り当て可能か確認し、割り当てが可能な場合は割り当てを行い終了する。割り当て不可の場合はＳ４に進む。
Ｓ４：基準アグリゲーションレベル以外のアグリゲーションレベルの中で候補先頭ＣＣＥへの割り当てが可能な候補を選定する。
Ｓ５：選定した候補の中で、アグリゲーションレベルが基準アグリゲーションレベルより高いもののうち、基準アグリゲーションレベルに最も近いアグリゲーションレベルを選定する。基準アグリゲーションレベルより高い候補が無い場合は、低いものの中から基準アグリゲーションレベルに最も近いアグリゲーションレベルを選定する。
Ｓ６：選定したアグリゲーションレベルの中でＳ４で選定した候補について候補先頭ＣＣＥ以外の残りのＣＣＥに割り当て可能か確認する。
Ｓ７：割り当て可能か確認し、割り当てが可能な場合はＳ９に進み、割り当て不可の場合はＳ８に進む。
Ｓ８：Ｓ５で選定したアグリゲーションレベルの中で残りの候補があるか確認し、候補がある場合はＳ６に戻り、無い場合は終了となる。
Ｓ９：割り当て可能な候補領域に制御信号を割り当てて終了する。
【００４５】
図２は本発明の一実施形態の制御信号のＰＤＣＣＨ割り当て走査例を示す図である。図１の基本手順のＳ５の「基準アグリゲーションレベルより高い候補が無い場合」について、図１０で示すアグリゲーションレベルの例を基に走査例を示している。
【００４６】
１）アグリゲーションレベル４、２、１での割り当て試行
基準アグリゲーションレベル（レベル８）での割り当て候補が無いので、次にアグリゲーションベル４、２、１を選択し、割り当て可能か確認する。確認対象のアグリゲーションレベル４、２、１のＰＤＣＣＨ候補数は各々２、６、６であるので、計１４個のＣＣＥを検索する。
【００４７】
２）アグリゲーションレベル２での割り当て試行
１で選択した割り当て候補の中で、基準アグリゲーションレベルより高いアグリゲーションレベルは存在しないため、基準アグリゲーションレベルより低いアグリゲーションレベルの中から基準アグリゲーションレベルに最も近いアグリゲーションレベル２を選択し、ＣＣＥが割り当て可能か確認する。アグリゲーションレベル２の検索数（候補数６×アグリゲーションレベル２）の計１２個の内、ＰＤＣＣＨ候補先頭ＣＣＥは１）で検索済みのため最大６個のＣＣＥを検索する。
【００４８】
上記より合わせて最大３６個のＣＣＥを検索して割り当て可能な領域に制御信号のＰＤＣＣＨ割り当てを行う。これにより、従来の方法（図６）に比較し処理量は８５％となり、処理量を抑え、且つ帯域利用効率、スループットを向上できる。
【００４９】
図３は本発明の一実施形態の制御信号の冗長ＰＤＣＣＨ割り当て走査手順（その1）を示す図である。図１で示す基本手順での割り当て走査終了後、複数のＰＤＣＣＨ候補の割り当てが可能か確認する手順を示している。
【００５０】
Ｓ２０：制御信号のＰＤＣＣＨ割り当て基本手順の走査が終了する。
Ｓ２１：無線帯域に空きがあるか確認し、空きがある場合はＳ２２に進み、無い場合は終了する。
Ｓ２２：基本手順と同様の手順で割り当てを試みる。
Ｓ２３：割り当て可能な場合は割り当て済みＰＤＣＣＨに追加する。
【００５１】
図４は本発明の一実施形態の制御信号の冗長ＰＤＣＣＨ割り当て走査手順(その２）を示す図である。図３と同様に図１で示す基本手順での割り当て走査終了後、複数のＰＤＣＣＨ候補の割り当てが可能か確認する手順を示している。
【００５２】
Ｓ３０：制御信号のＰＤＣＣＨ割り当て基本手順の走査が終了する。
Ｓ３１：装置ＣＰＵ処理量に余裕があるか確認し、余裕がある場合はＳ３２に進み、無い場合は終了する。
Ｓ３２：基本手順と同様の手順で割り当てを試みる。
Ｓ３３：割り当て可能な場合は割り当て済みＰＤＣＣＨに追加する。
【００５３】
図５は本発明の一実施形態の制御信号の冗長ＰＤＣＣＨ割り当て走査例を示す図である。図３で示す冗長制御信号のＰＤＣＣＨ割り当て走査手順の例を示している。
【００５４】
制御信号のＰＤＣＣＨ割り当て帯域に空きがあるか検索し、空きがある場合、図１と同様な手順で割り当て可能なＣＣＥを検索する。
【００５５】
ＵＥ＃０に対し、割り当て済みＣＣＥ＃０〜＃７に加え、ＣＣＥ＃１６〜＃１９（アグリゲーションレベル４）を割り当てる。
【図２】
0005459096.tif 000002
【図３】
0005459096.tif 000003
【図４】
0005459096.tif 000004
【図５】
0005459096.tif 000005
【図６】
0005459096.tif 000006
【図８】
0005459096.tif 000007
【図１０】
0005459096.tif 000008
【図１１】
0005459096.tif 000009
【図１】
0005459096.tif 000010
【図７】
0005459096.tif 000011
【図９】
0005459096.tif 000012